【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
タイムスロットにおいて、ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求をワイヤレスチャネルを介して受信することと、
前記要求によって用いられるタイムスロットよりも小さい第１の割り当てられたタイムスロットを含む複数の割り当てられたタイムスロットを定義するＵＡＤＢ（データブロックに対するアップリンク割り当て）を受信することと、
どのタイムスロット内に前記要求が受信されたかに無関係に、前記第１の割り当てられたタイムスロットによって定義される第１の無線ブロックにおいて前記ＤＢＣＣＩを伝送することと
を含む、方法。
【請求項２】
前記ＤＢＣＣＩにおける前記データブロックを含む複数のデータブロックは、特定の順序で割り当てられ、前記方法は、前記複数のデータブロックを前記特定の順序で伝送することをさらに含む、請求項１に記載の方法。
【請求項３】
前記特定の順序は、データブロックとともに送信されるべきＰＡＮフィールドが存在しない場合に、アップリンクブロック伝送に対して適用されるべき初期伝送ブロックシーケンス番号順序である、請求項２に記載の方法。
【請求項４】
前記特定の順序は、ブロックシーケンス番号順序で発生する初期伝送を含む、請求項２に記載の方法。
【請求項５】
前記第１の割り当てられたタイムスロットによって定義される前記第１の無線ブロックにおいて前記ＤＢＣＣＩを伝送することは、前記要求に対して用いられるダウンリンクスロットとは異なる番号を有するアップリンクスロットを用いて、ＢＴＴＩ（基本伝送時間間隔）ブロックを伝送することを含む、請求項１に記載の方法。
【請求項６】
前記第１の割り当てられたタイムスロットによって定義される前記第１の無線ブロックにおいて前記ＤＢＣＣＩを伝送することは、前記要求に対して用いられるダウンリンクスロット対に対応するアップリンクスロット対を用いて、ＲＴＴＩ（低減伝送時間間隔）ブロックを伝送することを含む、請求項１に記載の方法。
【請求項７】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロック・プラス・ＰＡＮ（ピギーバック方式肯定応答／否定応答（ＡＣＫ／ＮＡＣＫ））に対するポーリングを含む、請求項１に記載の方法。
【請求項８】
各ＵＡＤＢは、ＵＳＦ（アップリンク状態フラグ）である、請求項１に記載の方法。
【請求項９】
有形の持続性格納媒体上にエンコードされるコンピュータプログラムプロダクトであって、前記プロダクトは、
タイムスロットにおいて、ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求をワイヤレスチャネルを介して受信することと、
前記要求によって用いられるタイムスロットよりも小さい第１の割り当てられたタイムスロットを含む複数の割り当てられたタイムスロットを定義するＵＡＤＢ（データブロックに対するアップリンク割り当て）を受信することと、
どのタイムスロット内に前記要求が受信されたかに無関係に、前記第１の割り当てられたタイムスロットによって定義される第１の無線ブロックにおいて前記ＤＢＣＣＩを伝送することと
を含む動作を１つ以上のプロセッサに行わせるためのコンピュータ読み取り可能な命令を含む、コンピュータプログラムプロダクト。
【請求項１０】
前記ＤＢＣＣＩにおける前記データブロックを含む複数のデータブロックは、特定の順序で割り当てられ、前記命令は、前記複数のデータブロックを前記特定の順序で伝送することをさらに含む、請求項９に記載のコンピュータプログラムプロダクト。
【請求項１１】
前記特定の順序は、データブロックとともに送信されるべきＰＡＮフィールドが存在しない場合に、アップリンクブロック伝送に対して適用されるべき初期伝送ブロックシーケンス番号順序である、請求項１０に記載のコンピュータプログラムプロダクト。
【請求項１２】
前記特定の順序は、ブロックシーケンス番号順序で発生する初期伝送を含む、請求項１０に記載のコンピュータプログラムプロダクト。
【請求項１３】
前記第１の割り当てられたタイムスロットによって定義される前記第１の無線ブロックにおいて前記ＤＢＣＣＩを伝送することを含む前記命令は、前記要求に対して用いられるダウンリンクスロットとは異なる番号を有するアップリンクスロットを用いて、ＢＴＴＩ（基本伝送時間間隔）ブロックを伝送することを含む命令を含む、請求項９に記載のコンピュータプログラムプロダクト。
【請求項１４】
前記第１の割り当てられたタイムスロットによって定義される前記第１の無線ブロックにおいて前記ＤＢＣＣＩを伝送することを含む前記命令は、前記要求に対して用いられるダウンリンクスロット対に対応するアップリンクスロット対を用いて、ＲＴＴＩ（低減伝送時間間隔）ブロックを伝送することを含む命令を含む、請求項９に記載のコンピュータプログラムプロダクト。
【請求項１５】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロック・プラス・ＰＡＮ（ピギーバック方式肯定応答／否定応答（ＡＣＫ／ＮＡＣＫ））に対するポーリングを含む、請求項９に記載のコンピュータプログラムプロダクト。
【請求項１６】
各ＵＡＤＢは、ＵＳＦ（アップリンク状態フラグ）である、請求項９に記載のコンピュータプログラムプロダクト。
【請求項１７】
ユーザ機器であって、
前記ユーザ機器は、１つ以上のプロセッサを含み、
前記１つ以上のプロセッサは、
タイムスロットにおいて、ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求をワイヤレスチャネルを介して受信することと、
前記要求によって用いられるタイムスロットよりも小さい第１の割り当てられたタイムスロットを含む複数の割り当てられたタイムスロットを定義するＵＡＤＢ（データブロックに対するアップリンク割り当て）を受信することと、
どのタイムスロット内に前記要求が受信されたかに無関係に、前記第１の割り当てられたタイムスロットによって定義される第１の無線ブロックにおいて前記ＤＢＣＣＩを伝送することと
を行うように構成されている、ユーザ機器。
【請求項１８】
前記ＤＢＣＣＩにおける前記データブロックを含む複数のデータブロックは、特定の順序で割り当てられ、前記プロセッサは、前記複数のデータブロックを前記特定の順序で伝送するようにさらに構成されている、請求項１７に記載のユーザ機器。
【請求項１９】
前記特定の順序は、データブロックとともに送信されるべきＰＡＮフィールドが存在しない場合に、アップリンクブロック伝送に対して適用されるべき初期伝送ブロックシーケンス番号順序である、請求項１８に記載のユーザ機器。
【請求項２０】
前記特定の順序は、ブロックシーケンス番号順序で発生する初期伝送を含む、請求項１８に記載のユーザ機器。
【請求項２１】
前記第１の割り当てられたタイムスロットによって定義される前記第１の無線ブロックにおいて前記ＤＢＣＣＩを伝送するように構成されている前記プロセッサは、前記要求に対して用いられるダウンリンクスロットとは異なる番号を有するアップリンクスロットを用いて、ＢＴＴＩ（基本伝送時間間隔）ブロックを伝送するように構成されているプロセッサを含む、請求項１７に記載のユーザ機器。
【請求項２２】
前記第１の割り当てられたタイムスロットによって定義される前記第１の無線ブロックにおいて前記ＤＢＣＣＩを伝送するように構成されている前記プロセッサは、前記要求に対して用いられるダウンリンクスロット対に対応するアップリンクスロット対を用いて、ＲＴＴＩ（低減伝送時間間隔）ブロックを伝送するように構成されているプロセッサを含む、請求項１７に記載のユーザ機器。
【請求項２３】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロック・プラス・ＰＡＮ（ピギーバック方式肯定応答／否定応答（ＡＣＫ／ＮＡＣＫ））に対するポーリングを含む、請求項１７に記載のユーザ機器。
【請求項２４】
各ＵＡＤＢは、ＵＳＦ（アップリンク状態フラグ）である、請求項１７に記載のユーザ機器。